(57)【要約】  【課題】  厨房で食品の保存用に使用されるラップやアルミホイル等のロールの芯となる紙管を短く折ることを可能にし、ゴミ袋に収納して焼却用に廃棄することを可能にする。  【解決手段】  ロール芯用の紙管１に、軸方向に適間隔をおいてミシン目２，３を形成する。または、ロール芯用の紙管４，６に、軸方向に適間隔をおいてＶ字形の溝５、Ｕ字形の溝６を周方向に形成する。その結果、ロール材の使用が終了したら、紙管をミシン目または溝の部分で折って分断することが可能となり、それにより、紙管の長さが短くなりゴミ袋に収納して焼却用に廃棄することが可能となる。なお、芯に巻き付けられるロール材の巻き始めの少なくとも１周分を紙管に貼着することが好ましい。【選択図】  図１
2005255292.tif 000002
【特許請求の範囲】
【請求項１】
軸方向に適間隔をおいて１以上のミシン目または溝を周方向に形成したことを特徴とするロール芯用紙管。
【請求項２】
前記溝の断面形状をＵ字形としたことを特徴とする請求項１に記載のロール芯用紙管。
【請求項３】
前記溝の断面形状をＶ字形としたことを特徴とする請求項１に記載のロール芯用紙管。
【請求項４】
芯に巻き付けられるロール材の巻き始めの少なくとも１周分を紙管に貼着したことを特徴とする請求項１乃至３のいずれかに記載のロール芯用紙管。
【発明の詳細な説明】
【技術分野】
【０００１】
本発明は、厨房で食品の保存用に使用されるラップやアルミホイル等のロールの芯となる紙管に関し、詳しくは、ラップやアルミホイル等を使用して残った芯を短く折ることを可能にし、ゴミ袋に収納して焼却用に廃棄することを可能にしたロール芯用紙管に関する。
【背景技術】
【０００２】
厨房で食品の保存用に使用されるラップやアルミホイル等のロールの芯は、通常紙管が用いられている。この紙管は、家庭用のラップやアルミホイル等のロールの巻芯の場合はまだ短くて、そのままゴミ袋に収納して廃棄し焼却することが可能である。しかしながら、業務用の幅広のラップやアルミホイル等のロールの芯は長いため、そのままではゴミ袋に収納できないため、短く折ったり切断してからゴミ袋に収納して廃棄しなければならなかった。ロールの芯に用いられている紙管は、一般に肉厚であるため、折るにしても多大な力が必要となり、切断するには道具と労力を必要とし、いずれにしても、厨房での後処理の問題になっていた。なお、ロールの芯に用いられる紙管に、容積を小さくするためのミシン目や溝を形成する技術として、特許文献１に記載の「常温収縮性チューブ」がある。
【特許文献１】特開昭２０００−２７１９７０号公報
【発明の開示】
【発明が解決しようとする課題】
【０００３】
上述した特許文献１に記載の「常温収縮性チューブ」は、ロールの芯に用いられる紙管に軸方向のミシン目や溝を複数形成したものであり、これら溝またはミシン目の間の角形切取り片を切取ることにより、前記紙管を縮径するものである。そのため、紙管の長さそのものは短くなることがない。そこで、本発明は、ロールの芯に用いられる紙管に軸方向適間隔をおいて周方向のミシン目や溝を形成し、軸方向の分断を可能にしたことでロール使用後の廃棄を容易にすることを目的とした。
【課題を解決するための手段】
【０００４】
上記課題を解決するために、本発明は、ロール芯用紙管に、軸方向に適間隔をおいて１以上のミシン目または溝を周方向に形成する。前記溝の断面形状をＵ字形またはＶ字形とすることが可能である。なお、芯に巻き付けられるロール材の巻き始めの少なくとも１周分を紙管に貼着することが好ましい。
【発明の効果】
【０００５】
以上述べたように本発明によれば、紙管にミシン目または溝が周方向に形成されたことで、ロール材の使用が終了したら、紙管をミシン目または溝の部分で折って分断することが可能となる。その結果、紙管の長さが短くなりゴミ袋に収納して焼却用に廃棄することが可能となる。なお、紙管にミシン目または溝を形成した場合に、芯に巻き付けられるロール材の巻き始めの少なくとも１周分を紙管に貼着すると、ミシン目または溝の形成により低下した紙管の強度を補強することができる。
【発明を実施するための最良の形態】
【０００６】
以下、図に基づいて本発明の実施形態を説明する。
図１は本発明に係るロール芯用紙管の実施形態を示す斜視図である。ロール材の芯として用いられる紙管１に軸方向適間隔をおいて２本のミシン目２，３が形成されている。このように形成された紙管１に、ラップやアルミホイル等のロール材が巻き付けられて、消費者に販売される。それを購入した消費者は、紙管１に巻き付けられたラップやアルミホイル等のロール材（図示せず）の使用がすみ、紙管１が露出されたら、紙管１の両端を支持しながらそのミシン目２，３の部分に反対方向の力を加えることで、紙管１をミシン目２，３の部分で破断することができる。このようにして破断された紙管１は、元の長さの３分の１と短くなり、ゴミ袋に収納して焼却用として容易に廃棄することが可能となる。
【０００７】
図１では、紙管１にミシン目２，３を形成したが、ミシン目２，３の代わりに、図２および図３に示すように溝を形成することも可能である。図２は、紙管４の表面にＶ字状の溝５を周方向に１周形成したものであり、溝５の深さは紙管４の厚みの２／３〜３／４程度とする。図３は、紙管６の表面にＵ字状の溝７を周方向に１周形成したものであり、溝７の深さは紙管６の厚みの２／３〜３／４程度とする。このように、紙管４や紙管６に溝５や溝７を形成した場合も、ロール材の使用後に、紙管４や紙管６が露出されたら、その溝５や溝７の部分で紙管４や紙管６を破断して短くすることにより、ゴミ袋に収納して廃棄することが可能である。
【０００８】
なお、このようにして、紙管にミシン目や溝を形成すると、紙管自体の曲げに対する強度が低下する。そこで、その対策として、ミシン目や溝が形成された紙管にラップやアルミホイル等のロール材の先端を巻き付ける際に、少なくとも最初の１周分を紙管の表面に接着剤を介して貼着することが好ましい。あるいは、ロール材の先端にロール材とは別なシート状部材を継ぎ足し、その別部材を少なくとも１周分紙管の表面に接着剤を介して貼着することが好ましい。このようにして、ロール材等を紙管の表面に袋状に貼着することで、紙管の曲げに対する強度を補強することができる。この紙管の場合は、ラップやアルミホイル等のロール材の使用が終了して、最後の１周分が露出したら、さらにロール材等を紙管から引き剥がして、紙管の表面にミシン目や溝を露出させてから、そのミシン目や溝の部分で紙管を破断するようにする。
【産業上の利用可能性】
【０００９】
本発明は、厨房で食品の保存用に使用されるラップやアルミホイル等のロールの芯以外には、建築、農業、その他の産業界で使用される紙、ビニールシートおよびその他のロール状の資材の巻芯に用いられる紙管にも利用可能である。
【図面の簡単な説明】
【００１０】
【図１】本発明に係るロール芯用紙管の実施形態を示す斜視図である。
【図２】本発明に係るロール芯用紙管の拡大断面図である。
【図３】本発明に係るロール芯用紙管の拡大断面図である。
【符号の説明】
【００１１】
１  紙管
２，３  ミシン目
４  紙管
５  溝
６  紙管
７  溝
【図１】
2005255292.tif 000003
【図２】
2005255292.tif 000004
【図３】
2005255292.tif 000005